(57)【特許請求の範囲】
【請求項１】
容器本体（１０）に熱収縮性を有するフィルムからなる筒状ラベル本体（５）が装着され、該筒状ラベル本体（５）には破断手段が設けられた筒状ラベル付き容器において、
前記破断手段が、筒状ラベル本体（５）の内面に全長にわたって形成された線条の切込み又は溝である破断用のハーフカット（１３）からなり、前記筒状ラベル本体（５）の内面には、ハーフカット（１３）が設けられた部分を覆うようにテープ（１５）が貼着されたことを特徴とする筒状ラベル付き容器。
【請求項２】
容器本体（１０）は、角ボトルであり、
ハーフカット（１３）及びテープ（１５）は、容器本体（１０）の角部に位置している請求項１に記載の筒状ラベル付き容器。
【請求項３】
熱収縮性を有するフィルム（３）を筒状に形成することにより、ラベル本体（５）が構成され、該ラベル本体（５）には、破断手段が設けられた筒状ラベルにおいて、
前記破断手段が筒状ラベル本体（５）の内面に全長にわたって形成された線条の切込み又は溝である破断用のハーフカット（１３）からなり、前記筒状ラベル本体（５）の内面には、ハーフカット（１３）が設けられた部分を覆うようにテープ（１５）が貼着されたことを特徴とする筒状ラベル。
【発明の詳細な説明】
【０００１】
【発明の属する技術分野】
本発明は、例えばＰＥＴボトル等の容器本体に、熱収縮性の筒状ラベルを装着してなる筒状ラベル付き容器及び筒状ラベルに関する。
【０００２】
【従来の技術】
従来、お茶やジュース等の清涼飲料の容器として、図８に示す如く内容物である清涼飲料等を充填するポリエチレンテレフタレート（ＰＥＴ）製ボトル等のプラスチック製の容器本体５０に、商品名やデザイン、内容物に関する説明等の表示が印刷された熱収縮性を有するフィルムからなる筒状ラベル５３を嵌挿装着したものが公知である。
【０００３】
そして、筒状ラベルを剥離除去した後に、容器本体５０を回収等してリサイクルを行うべく、筒状ラベル５３には、その剥離性を向上させるための破断用のミシン目５５が刻設されたものがある。
【０００４】
【発明が解決しようとする課題】
前記筒状ラベル５３が容器本体５０に装着された商品が市場に出回って流通された際に、例えば筒状ラベル同士が接触等すると、その衝撃でミシン目５５からラベル５３が不用意に破断してしまうおそれがある。そのため、ミシン目５５は、不用意に破断しない程度の強度を有する目の大きさに設定する必要がある。例えば、刻設長さを小さくして、その刻設長さの間隔を大きく設定している。
【０００５】
この結果、従来の筒状ラベル５３は、消費者が容器本体５０から容易に剥離できない。特に、ポリエステル系樹脂製の熱収縮性フィルムから形成された筒状ラベルは、縦方向（容器本体の上下方向）に引き裂き難いため問題があった。
【０００６】
また、前記ラベル５３にミンシ目５５を設けた容器（内容物が充填された容器）は、自動販売機で販売するのが困難であった。即ち、容器を自動販売機に収容した場合には、最下段の容器が取り出されるため、それよりも上段の複数の容器が一体的に落下することになる。かかる場合には、下段側の容器程衝撃を受けるため、ラベル５３はミシン目５５から破断してしまうことがあるからである。
【０００７】
従って、筒状ラベル５３にミンシ目５５を設けた容器の取扱いを容易にしたり、該容器を自動販売機で販売できるようにするためには、ミシン目が不用意に破断しないようにすると共に、容器本体のリサイクル等にはラベルを容易に剥離できるようにする工夫が要求されているのが現状であった。
【０００８】
そこで、本発明は、ハーフカットに沿ってテープをラベル本体に貼着することにより、筒状ラベルの破断部分の補強を図り、容器の取扱いを良好なものとすると共に、テープを引っ張ることにより、消費者がラベルを容易に剥離でき、容器本体の回収に供することを課題とする。
【０００９】
【課題を解決するための手段】
本発明は、上記の課題を解決するために、筒状ラベル付き容器及び筒状ラベルとしてなされたものであり、筒状ラベル付き容器としての特徴は、容器本体１０に熱収縮性を有するフィルムからなる筒状ラベル本体５が装着され、該筒状ラベル本体５には破断手段が設けられた筒状ラベル付き容器において、前記破断手段が、筒状ラベル本体５の内面に全長にわたって形成された線条の切込み又は溝である破断用のハーフカット１３からなり、前記筒状ラベル本体５の内面には、ハーフカット１３が設けられた部分を覆うようにテープ１５が貼着されたことにある。
【００１０】
尚、ハーフカット１３とは、フィルムの内面側から他面側へ貫通することなく形成した線条の切込み又は溝をいう。
【００１１】
そして、筒状ラベル本体５には、ハーフカット１３が設けられた部分を覆うようにテープ１５が貼着されていることから、薄肉となった破断手段を補強できる。従って、筒状ラベルが容器本体に装着された商品が市場に出回って流通された場合や、自動販売機で販売した場合にラベルのハーフカット１３が不用意に破断することはない。
【００１２】
しかも、筒状ラベル本体５を容器本体１０から剥離する場合には、前記テープ１５は筒状ラベル本体５の内面に貼着されていることから、テープ１５を引っ張ることにより、ハーフカット１３あるいはフィルムを容易に破断することができる。更に、前記ハーフカット１３は、フィルムの内面側に形成されていることで、筒状ラベル本体５の外面側が平滑面となるため、例えば、該筒状ラベル本体５が装着された容器を自動販売に収容した際に、筒状ラベル本体５がシューター等に引っ掛かるのを防止できる。
【００１３】
また、筒状ラベルとしての特徴は、熱収縮性を有するフィルム３を筒状に形成することにより、ラベル本体５が構成され、該ラベル本体５には、破断手段が設けられた筒状ラベルにおいて、前記破断手段が筒状ラベル本体５の内面に全長にわたって形成された線条の切込み又は溝である破断用のハーフカット１３からなり、前記筒状ラベル本体５の内面には、ハーフカット１３が設けられた部分を覆うようにテープ１５が貼着されたことにある。
【００１４】
【発明の実施の形態】
以下、本発明の一実施の形態について図面を参照して説明する。図１〜図４は、本発明に係る筒状ラベル１を示す。筒状ラベル１は熱収縮性を有するフィルム３の両端部を接着することにより、筒状に形成してなるラベル本体５を備え、該筒状ラベル１は、図１に示す如く加熱収縮により容器本体１０に装着される。
【００１５】
容器本体１０としては、断面略矩形状のポリエチレンテレフタレート等のポリエステル系樹脂製ボトル（ＰＥＴボトル）等のプラスチック製のものである。
【００１６】
前記フィルム３は、例えば透明性を有し、その一面（例えば筒状ラベルの内側）には、例えば商品名やデザイン、内容物に関する説明やバーコード等を表示するラベル印刷層が設けられている。
【００１７】
フィルム３としては、ポリエステル系樹脂、ポリスチレン系樹脂、ポリプロピレン系樹脂、ポリ塩化ビニル等からなる厚さ２０μｍ〜８０μｍの主に筒状に形成された際の周方向に熱収縮性を有するフィルム等が使用可能である。
【００１８】
前記ラベル本体５は、例えば容器本体１０の肩部から周面の下縁部にわたって（容器本体の略全長にわたって）設けられており、ラベルの全長（容器本体の上下方向）にわたって破断手段としてのハーフカット１３が形成されている。かかるハーフカット１３の形成方法としては、カッター刃をラベル本体５の内面側を中途部まで切り込んでも良く、または、トムソン刃等で押圧しながら形成しても良く、特に限定されるものではない。尚、図３に示す如くフィルム３の肉厚Ｗが、例えば４０〜５０μｍの場合に、ハーフカット１３の深さＤは、１０〜２０μｍに設定するのが好ましい。
【００１９】
前記ラベル本体５の内面には、ハーフカット１３を覆うように幅２〜１０ｍｍ程度の帯状のティアテープ１５がラベル本体の全長にわたって貼着されている。
ティアテープは、ポリエチレンテレフタレートやポリプロピレン等の厚さ２０μｍ〜１００μｍ程度のフィルムから形成されるが、前記ラベル本体５のフィルムと同材質の縦方向（長手方向）に一軸延伸したフィルムが好ましく、例えばラベル本体５をポリエステル系の熱収縮性を有するフィルムから構成した場合には、ティアテープ１５の基材及びその粘着剤もポリエステル系樹脂を基材とするシートからなるものを採用するのが好ましい。これは、ＰＥＴボトルをリサイクルする際に、ラベル本体５及びティアテープ１５（その基材及び粘着剤）が混入してもリサイクルに対する影響が少ないためである。
【００２０】
尚、前記ラベルの製造に際しては、図５に示す如く長尺状のフィルム３を繰り出し、フィルムの繰り出し方向にハーフカット１３を形成した後に、該ハーフカット１３を覆うようにティアテープ１５を繰り出されるフィルムに順次貼着していく。そして、フィルムの両端を接着して筒状に形成した後に、偏平状態に折り畳み且つロール状に巻き取る。
更に、ラベル装着装置にセットされたロール状のフィルム３を繰り出し所定長さに切断し一枚の筒状ラベルとした後に、容器本体１０に装着することとなる。
【００２１】
また、フィルム３は所定の長さに切断した後に、ハーフカット１３の形成及びティアテープ１５の貼着を行っても良い。
【００２２】
前記ハーフカット１３及びティアテープ１５は、容器本体１０の角部に位置している。このようにハーフカット１３及びテープ１５を角部に位置させたのは、容器本体１０に被嵌された筒状ラベル１を加熱収縮させる際に、フィルム３が周方向に引っ張られるのであるが、ハーフカット１３を角部に位置させることにより、フィルム３のハーフカット１３部分は、角部に接触して引っ張られ難くなり、ハーフカット１３が収縮力で破断し難くなると共に、ハーフカット１３及びティアテープ１５はフィルム３の内面側に位置するため、これらが目立つことはない。
【００２３】
上記の容器を例えば製造工場から販売店へ搬送する流通の過程や、自動販売機に段積み状態で収容した場合に、互いの容器のラベル１が接触し合うが、ハーフカット１３に沿ってティアテープ１５が貼着されていることから、ハーフカット１３はラベル１の周方向に補強され、不用意に破断し難い。
【００２４】
特に、容器を自動販売機に収容する場合に、作業者が容器を順次投入したり、また、容器購入時に、最下段の容器を取り出すと、それよりも上段の複数の容器が一体的に落下することになる。かかる容器の投入又は取り出し時には、容器が衝撃を受けるが、前記の如くハーフカット１３に沿ってティアテープ１５が貼着されていることから、その衝撃によりハーフカット１３が破断するのを防止できる。
【００２５】
また、ラベル本体５の外面側は、平滑面であることから、例えば自動販売機内のシューターに引っ掛かることもなく、容器をスムーズに搬送できる。
【００２６】
次に、上記容器本体に装着された筒状ラベルを剥離する場合には、ティアテープ１５の上端又は下端を挟持して引っ張ると、ハーフカット１３に沿ってあるいはテープ１５の両側縁に沿ってフィルム３を破断して、筒状ラベル１を容易に剥離することができるのである。
【００２７】
特に、ポリスチレン系樹脂やポリ塩化ビニルの熱収縮性フィルムに比し、縦方向（容器の上下方向）に切断（引き裂き）し難い実質上横一軸延伸されたポリエステル系樹脂フィルムからなる筒状ラベルを剥離するのに非常に有効である。尚、実質上横一軸延伸されたとは、例えば横方向に３〜５倍、縦方向に１．０〜１．５倍延伸されていることである。
【００２８】
尚、本発明は上記の実施の形態に限定されるものではない。参考例として図６（イ）に、ハーフカット１３はフィルム３の外面側（ティアテープ１５と反対側）に設けている場合を例示する。かかる場合であっても、従来のミシン目だけの場合に比し、フィルム３のハーフカット１３部分の補強を図ることはできる。しかも、ハーフカット１３を前記の如く容器本体１０の角部に位置させることにより、目立たないようにすることができる。図６（ハ）に示す本発明の他の実施の形態は、ハーフカット１３として複数条の傷（例えば深さ１〜１０μｍ）を形成したものである。参考例である図６（ロ）は、該傷１３をフィルムの外面側に、本発明の他の実施の形態である図６（ハ）は、該傷１３をフィルムの内面側にそれぞれ設けた場合を例示する。
【００２９】
更に、本発明の他の実施形態として図７（ハ）に示す如く、破断手段としては、ハーフカット１３とミシン目１３ａとを組み合わせたものであっても良い。参考例である図７（イ）においては、上端または下端からの切断を容易にするため、ミシン目１３がラベル本体５の上下両端部５ａ，５ｂに設けられ、両方のミシン目１３ａを連結するように、ハーフカット１３が設けられている。かかるミシン目１３ａの長さは、参考例である図７（ロ）に示す如く、上端部５ａは容器本体１０の肩部側に位置させ、下端部５ｂは容器本体１０の底部側に位置させることにより、ミシン目１３ａが容器本体１０の胴部１０ａの外面には無いため、シューター等に引っ掛かるのを防止できる。更に、ハーフカット１３の直線上にミシン目１３ａを設ける必要はなく、本発明の他の実施形態である図７（ハ）に示す如く、ハーフカット１３はラベル本体５の全長に設け、該ハーフカット１３の近傍にミシン目１３ａを設けても良い。尚、かかる場合も、ハーフカット１３及びミシン目１３ａは、ティアテープ１５の幅以内に設定する。
【００３０】
参考例である図６（イ）の仮想線で、ハーフカット１３を両面側に設ける場合を例示する。
【００３１】
更に、ラベル１は、容器本体１０の一部に設けて良く、例えば、図１に仮想線が下縁となるように、容器本体１０の上部にのみ設けても良い。上記実施の形態は、容器本体が角ボトルである場合について説明したが、容器本体が丸ボトル等の任意の形状のものであっても良い。
尚、容器本体としては、ガラス瓶、金属缶、プラスチックカップ又は紙コップが挙げられるが、特にリサイクルの際にラベルを分離することが要求されるＰＥＴボトルに適している。
しかも、テープ１５は、ハーフカット１３に沿ってフィルム３の全長に連続的に貼着したが、必ずしも全長に設ける必要はなく、短長のものを断続的に貼着することも可能である。
【００３２】
【発明の効果】
以上のように本発明は、前記破断手段が、筒状ラベル本体の内面に形成された破断用のハーフカットからなり、前記筒状ラベル本体の内面には、ハーフカットが設けられた部分を覆うようにテープが貼着されたので、ハーフカット部分の補強を図ることができる。従って、容器の流通時や容器を自動販売機に収容した場合であっても、ハーフカット部分に十分な強度を得ることができ、ハーフカットが不用意にラベル本体の周方向に破断するのを防止できる。
【００３３】
また、筒状ラベル本体を容器本体から剥離する場合には、前記テープは筒状ラベル本体の内面に貼着されていることから、テープを引っ張ることにより、ハーフカットあるいはテープの両側部分を容易に破断することができる。
【００３４】
しかも、前記の如くテープによりハーフカット部分の補強を図っているため、剥離時にラベル本体を容易に破断できるように、ハーフカットの大きさをフィルムの材質に応じて深くしたり、または、浅くしたり、幅を変更したりして任意に設定できる。
【００３５】
更に、容器本体がポリエステル系樹脂から成形されたボトル（ＰＥＴボトル）からなり、しかも、前記フィルムはポリエステル系フィルムからなり、前記テープがポリエステル系樹脂を基材とするシートから構成されてなる場合には、ＰＥＴボトルからラベルを容易に剥離して除去することができ、ＰＥＴボトルの回収等に供することができると共に、仮に、ＰＥＴボトルからラベルを剥離し忘れた場合であっても、ＰＥＴボトルと同質系材料からラベルを構成しているため、ＰＥＴボトルのリサイクル（樹脂の再利用）に支承となることはほとんどない。
【図面の簡単な説明】
【図１】  本発明の一実施の形態を示す一部破断を含む全体斜視図。
【図２】  同筒状ラベルの一部破断を含む斜視図。
【図３】  同フィルムにテープを貼着した状態の断面図斜視図。
【図４】  同容器本体に装着されたラベルを破断する状態の斜視図。
【図５】  同ラベルを構成するためのフィルムにテープを貼着する状態の斜視図。
【図６】  （イ）及び（ロ）は参考例に係る形態をそれぞれ示す断面図、（ハ）は本発明の他の実施の形態を示す断面図。
【図７】  （イ）は参考例に係る筒状ラベルの一部破断を含む斜視図、（ロ）は参考例に係るラベルを容器に装着した状態の断面概略図、（ハ）は本発明の他の実施の形態に係るラベルの内面側を示す図。
【図８】  従来例を示す斜視図。
【符号の説明】
１…筒状ラベル、３…フィルム、５…ラベル本体、１３…ハーフカット（破断手段）、１５…テープ、１０…容器本体
【図１】
0004557233.tif 000002
【図２】
0004557233.tif 000003
【図３】
0004557233.tif 000004
【図４】
0004557233.tif 000005
【図５】
0004557233.tif 000006
【図６】
0004557233.tif 000007
【図７】
0004557233.tif 000008
【図８】
0004557233.tif 000009